(57)【要約】【課題】設置後においても移動、撤去が容易で、地震等による転倒の危険を好適に回避することができ、製品コストを安価に抑えることができ、かつ、単純な作業だけで壁面ラックを簡単に組み立てることができる組立式壁面ラックユニットを提供する。【解決手段】ベース１と、複数の化粧パネル２と、複数の目地材３と、複数の棚板４とによって構成され、ベース１が、ベース本体１ａと固定材１３とを有し、ベース本体１ａと固定材１３との間隔を自在に調整できるように構成され、化粧パネル２と目地材３とを交互に積み重ね、それぞれをベース本体１ａに対して固定し、目地材３の溝内に棚板４の奥側の長手側縁を差し込んで取り付けることにより、壁面ラックを簡単に形成できるように構成した。【選択図】図１
2020014701.tif 000002
【特許請求の範囲】
【請求項１】
ベースと、複数の化粧パネルと、複数の目地材と、複数の棚板とによって構成され、
ベースが、ベース本体と固定材とを有し、ベース本体と固定材との間隔を自在に調整できるように構成され、
化粧パネルと目地材とを交互に積み重ね、それぞれをベース本体に対して固定し、目地材の溝内に棚板の奥側の長手側縁を差し込んで取り付けることにより、壁面ラックを形成できるように構成したことを特徴とする、組立式壁面ラックユニット。
【請求項２】
ベース本体が、垂直板と、その上端と下端の前面側に固定された水平板とによって構成されていることを特徴とする、請求項１に記載の組立式壁面ラックユニット。
【請求項３】
ベースが、ベース本体と、固定材と、支持ロッドと、支持ロッドと螺合するソケットとを有し、
ベース本体と固定材とが、支持ロッドとソケットを介して連結され、支持ロッド又はソケットを回転させることにより、ベース本体と固定材との間隔を調整できるように構成されていることを特徴とする、請求項１又は請求項２に記載の組立式壁面ラックユニット。
【請求項４】
目地材は、上顎前縁部が上方へ向かって延長され、及び／又は、下顎前縁部が下方へ向かって延長されていることを特徴とする、請求項１〜３のいずれかに記載の組立式壁面ラックユニット。
【請求項５】
棚板の奥側の長手側縁を目地材の溝内に挿入し、棚板の下面と目地材の下顎部との隙間に楔材を差し込むことによって、棚板をベース本体に対して固定できるように構成され、
楔材が、棚板の下面に沿って所定範囲内で摺動可能なように保持されていることを特徴とする、請求項１〜４のいずれかに記載の組立式壁面ラックユニット。
【請求項６】
楔材を挿入した場合に、棚板と目地材との間の係合状態を実現し、維持することができる係合手段が、棚板と目地材に形成されていることを特徴とする、請求項１〜５のいずれかに記載の組立式壁面ラックユニット。
【請求項７】
棚板の下面に桁材が固定されていることを特徴とする、請求項１〜６のいずれかに記載の組立式壁面ラックユニット。
【発明の詳細な説明】
【技術分野】
【０００１】
本発明は、単純な作業だけで簡単に組み立てることができ、住居やオフィス等の既存の室内壁面において、壁面ラックを容易に形成することができる組立式壁面ラックユニットに関する。
【背景技術】
【０００２】
従来より、住居やオフィス等の室内壁面に、書籍、家電製品、その他の雑貨等を収納し、或いは、ディスプレイするための設備として、様々なタイプの壁面ラックが設置されている。壁面ラックには、什器として後付けで設置されるもののほか、施工当初から、いわゆる「造り付け」として設置されるものがある。
【０００３】
後付けで設置される壁面ラックは、一旦設置した後でも、ユーザーの希望に応じていつでも簡単に移動し、又は、撤去することができるという利点を有するが、容量に限界があり、例えば、一つの壁面の全体にわたって設置しようとすると、費用が高額となってしまうほか、地震等に備えて、転倒防止措置を講じる必要がある。
【０００４】
一方、造り付けの壁面ラックは、壁面に造り付けられているため、地震等による転倒の危険はなく、問題なく大容量のものとすることができるが、撤去、或いは、移動が困難で、レイアウト変更（部屋の模様替え）に対する選択の自由度が低いという問題がある。
【先行技術文献】
【特許文献】
【０００５】
【特許文献１】特開２０１０−２７９６４９号公報
【発明の概要】
【発明が解決しようとする課題】
【０００６】
什器としての壁面ラックと造り付けの壁面ラックには、上述の通り、それぞれ一長一短があるところ、両者の長所を併せ持ち、かつ、熟練した技術を要することなく、単純な作業のみで誰でも簡単に組み立てることができるような壁面ラックのユニット化が望まれている。
【０００７】
本発明は、このような従来技術における問題を解決しようとするものであって、設置後においても移動、撤去が容易で、地震等による転倒の危険を好適に回避することができ、製品コストを安価に抑えることができ、かつ、単純な作業だけで壁面ラックを簡単に組み立てることができる組立式壁面ラックユニットを提供することを目的とする。
【課題を解決するための手段】
【０００８】
本発明に係る組立式壁面ラックユニットは、ベースと、複数の化粧パネルと、複数の目地材と、複数の棚板とによって構成され、ベースが、ベース本体と固定材とを有し、ベース本体と固定材との間隔を自在に調整できるように構成され、化粧パネルと目地材とを交互に積み重ね、それぞれをベース本体に対して固定し、目地材の溝内に棚板の奥側の長手側縁を差し込んで取り付けることにより、壁面ラックを形成できるように構成したことを特徴としている。
【０００９】
尚、ベース本体は、垂直板と、その上端と下端の前面側に固定された水平板とによって構成されることが好ましく、また、ベースは、ベース本体と、固定材と、支持ロッドと、支持ロッドと螺合するソケットとを有し、ベース本体と固定材とが、支持ロッドとソケットを介して連結され、支持ロッド又はソケットを回転させることにより、ベース本体と固定材との間隔を調整できるように構成されていることが好ましい。
【００１０】
更に、目地材は、上顎前縁部が上方へ向かって延長され、及び／又は、下顎前縁部が下方へ向かって延長されていることが好ましく、また、棚板の奥側の長手側縁を目地材の溝内に挿入し、棚板の下面と目地材の下顎部との隙間に楔材を差し込むことによって、棚板をベース本体に対して固定できるように構成され、楔材が、棚板の下面に沿って所定範囲内で摺動可能なように保持されていることが好ましい。
【００１１】
また、楔材を挿入した場合に、棚板と目地材との間の係合状態を実現し、維持することができる係合手段が、棚板と目地材に形成されていることが好ましく、更に、棚板の下面に桁材が固定されていることが好ましい。
【発明の効果】
【００１２】
本発明に係る組立式壁面ラックユニットを用いれば、設置後においても移動又は撤去が容易で、地震等による転倒を効果的に回避することができ、また、大容量のものとした場合でも費用を安価に抑えることができる壁面ラックを、熟練した技術を要することなく、単純な作業だけで誰でも簡単に組み立て、設置することができる。また、本発明に係る組立式壁面ラックユニットを用いて形成された壁面ラックは、棚板を簡単に着脱することができ、棚板の配置をいつでも自由に変更することができる。
【図面の簡単な説明】
【００１３】
【図１】図１は、本発明の第一実施形態に係る組立式壁面ラックユニットを構成するベース１、化粧パネル２、目地材３、棚板４、及び、サイド化粧材７の斜視図である。
【図２】図２は、図１に示す目地材３の拡大断面図である。
【図３】図３は、図１に示すベース１、化粧パネル２等を組み立てて形成した壁面ラック２０の斜視図である。
【図４】図４は、図３に示す壁面ラック２０の組み立て方法の説明図であって、垂直板１１、化粧パネル２ａ等の断面図である。
【図５】図５は、図３に示す壁面ラック２０の組み立て方法の説明図であって、垂直板１１、化粧パネル２ａ等の断面図である。
【図６】図６は、図３に示す壁面ラック２０の組み立て方法の説明図であって、垂直板１１、棚板４等の断面図である。
【図７】図７は、図６に示す棚板４の下面に取り付けられている楔材８及びサドルバンド９の斜視図である。
【図８】図８は、図３に示す壁面ラック２０において、棚板４を目地材３内に挿入し、固定した状態を示す部分的な断面図である。
【図９】図９は、図１に示す組立式壁面ラックユニットを二組使用して形成した、幅寸法が二倍の壁面ラック２０の斜視図である。
【図１０】図１０は、棚板４の他の構成例を示す図（右端部分の斜視図）である。
【発明を実施するための形態】
【００１４】
以下、添付図面に沿って、本発明に係る組立式壁面ラックユニットの実施形態について説明する。この組立式壁面ラックユニットは、図１に示すベース１、矩形状の化粧パネル２（四枚）、断面が「コ」の字状の目地材３（四本）、棚板４（四枚）、及び、サイド化粧材７（二本）によって構成されている。
【００１５】
これらのうちベース１は、図１に示すように、垂直板１１及び水平板１２ａ，１２ｂからなるベース本体１ａと、板状の固定材１３と、支持ロッド１４と、ソケット１５（高ナット等）とによって構成されている。より具体的には、ベース本体１ａは、細長い三枚の垂直板１１が等しい間隔を置いて並列配置されるとともに、それらの上端と下端の前面側に水平板１２ａ，１２ｂがそれぞれ配置され、垂直板１１の裏面側から水平板１２ａ，１２ｂに向けてそれぞれ打ち込まれたビス５によって固定されている（図４参照）。
【００１６】
また、図１に示すように、ベース本体１ａ（上側の水平板１２ａ）の上端部に、筒状の金属製ソケット１５が二つ固定され、更に、固定材１３の下面に対して上端部が枢着された二本の金属製の支持ロッド１４が、二つのソケット１５にそれぞれ挿通されている。尚、支持ロッド１４の外周面にはネジ山が形成され、ソケット１５の内周面には、支持ロッド１４のネジ山と螺合するネジ溝が形成されており、支持ロッド１４を回転させると、回転量に応じて上昇又は下降することになり、ソケット１５の上端から上方へ突出する寸法（支持ロッド１４の突出寸法）を変更できるようになっている。
【００１７】
従って、支持ロッド１４を、上昇する方向、又は、下降する方向へ適宜回転させることにより、ベース本体１ａ（水平板１２ａ）と固定材１３との間隔を自在に調整することができる。また、ソケット１５の下方（水平板１２ａの内部）には、支持ロッド１４の下端部の進入を許容する空洞１６が形成されており、下方側への支持ロッド１４の可動範囲が拡大されている。尚、ソケット１５がベース本体１ａの上端部に枢着され、支持ロッド１４の上端部が固定材１３の下面に固定され、ソケット１５を回転させることによって、ベース本体１ａ（水平板１２ａ）と固定材１３との間隔を調整できるように構成してもよい。或いは、ソケット１５を固定材１３に固定又は枢着し、支持ロッド１４をベース本体１ａに枢着又は固定してもよい。
【００１８】
化粧パネル２は、角材を矩形状に組んで枠体を形成し、その両側に薄板材を貼り付けた構造（フラッシュ構造）のパネル材であり、表側の薄板材として化粧合板が貼り付けられている。
【００１９】
目地材３は、図２に示すように、断面が「コ」の字状となるように成形された合成樹脂材であって、上顎前縁部３ａが上方へ向かって僅かに延長され、また、下顎前縁部３ｂが下方へ向かって僅かに延長された構造となっているほか、目地材３の上顎部の下向面には、下方へ向かって突出する突条３ｃ（係合手段）が長手方向に沿って形成されている。尚、目地材３としては、アルミの押出成形品を用いることもできる。
【００２０】
棚板４は、図６に示すように、奥側部分の上面に、目地材３の突条３ｃが嵌合して目地材３との係合状態を実現する嵌合溝４ａ（係合手段）が形成されているほか、下面に、断面が「Ｆ」字状で、奥側にテーパ部分を有する楔材８がサドルバンド９によって取り付けられている。尚、棚板４には、図１に示すように、ベース本体１ａと同一の幅寸法を有するもののほか、その１／２、１／３、或いは、２／３の幅寸法のものを適宜含めることができる。
【００２１】
この組立式壁面ラックユニットを用いれば、次のような手順を実行することにより、図３に示すような壁面ラック２０を簡単に形成することができる。まず、図４に示すように、下側の水平板１２ｂの上に最下段の化粧パネル２ａを配置し、垂直板１１の裏面側から化粧パネル２ａに向けてビス５を打ち込んで、化粧パネル２ａをしっかりと固定する。
【００２２】
次に、この化粧パネル２ａの上に目地材３を配置し、図５に示すように、その溝内奥部から垂直板１１に向けて小ビス６を打ち込んで固定する。更に、固定した目地材３の上に二段目の化粧パネル２ｂを配置し、最下段の化粧パネル２ａと同様に、垂直板１１の裏面側からビス５を打ち込んで固定する。このような要領で、化粧パネル２（２ａ〜２ｄ）と目地材３とを、上方へ向かって交互に積み重ねていき、それぞれをベース本体１ａ（垂直板１１）に対してビス止めして固定する。
【００２３】
ベース本体１ａに化粧パネル２等を固定したら、それらを、水平板１２ａ，１２ｂ及び化粧パネル２ａ〜２ｄが表側（室内側）となる向きで対象壁面に対して当接させ、ベース本体１ａ（下側の水平板１２ｂ）の下端部を床面（対象壁面に隣接する床面）上において位置決めし、固定材１３が上昇する方向へ支持ロッド１４を回転させる。そして、固定材１３が上昇して天井面（対象壁面に隣接する天井面）に接触した後、その状態から支持ロッド１４を更に同方向へ回転させると、固定材１３が天井面に対して強く押し付けられた状態となり、ベース本体１ａ等を対象壁面に沿ってしっかりと固定することができる。
【００２４】
ベース本体１ａ等を固定したら、ベース本体１ａの左右の側縁にサイド化粧材７をそれぞれ取り付けて（図３参照）、水平板１２ａ，１２ｂの左右両端の小口と、化粧パネル２ａ〜２ｄの左右両側縁と、各目地材３の両端部が隠れるようにする。尚、サイド化粧材７をベース本体１ａの両側縁に取り付けてから、ベース本体１ａ等を対象壁面に固定してもよい。
【００２５】
最後に、目地材３の溝内に棚板４の奥側の長手側縁を差し込んで、棚板４を取り付ける。尚、上述したように、各棚板４の奥側部分の上面には、目地材３の内側に挿入させた場合に突条３ｃ（図２参照）を嵌合させることができる位置に、嵌合溝４ａ（図６参照）（係合手段）が形成されているほか、各棚板４の下面には、断面が「Ｆ」字状で、奥側にテーパ部分を有する楔材８が、図７に示すように、サドルバンド９により、棚板４の下面に沿って所定範囲内で摺動可能なように取り付けられている。
【００２６】
棚板４を取り付ける場合、図６に示すように、棚板４の奥側の長手側縁を、突条３ｃとぶつからないように、目地材３の下顎部の上向面に沿って、目地材３の内部に進入させる。目地材３の最奥部に突き当たるまで棚板４を挿入したら、棚板４を僅かに持ち上げて、目地材３の上顎部の下向面に当接させる。
【００２７】
そうすると、目地材３の突条３ｃが、棚板４の嵌合溝４ａ内に嵌合した状態となる。そして、楔材８を奥側へスライドさせて、図８に示すように、目地材３の下顎部と棚板４の下面との隙間に、楔材８の先端側を奥まで進入させると、目地材３に対して棚板４が係合した状態（棚板４が目地材３から容易には脱落しない状態）となる。また、目地材３の溝内から楔材８を引き抜くことにより、棚板４を簡単に取り外すことができる。棚板４は、このように簡単に着脱することができるため、いつでも自由に配置を変更することができる。
【００２８】
尚、壁面ラック２０が対象壁面に沿って固定されている状態から、固定材１３が下降する方向へ支持ロッド１４を回転させることにより、壁面ラック２０の固定状態を解除することができ、壁面ラック２０を簡単に移動させ、或いは、撤去することができる。
【００２９】
また、本発明に係る組立式壁面ラックユニットを二組用意し、それぞれ組み立てるとともに、隣接させて対象壁面に設置することにより、図９に示すように、幅寸法が二倍の壁面ラック２０を形成することができる。この場合、中間の接続部にはサイド化粧材７を配置する必要はなく、図示されているように、左右の両側部に一つずつ配置すればよい。また、三組以上のユニットを用いれば、幅寸法が三倍以上の大容量の壁面ラック２０を形成することができる。
【００３０】
尚、図１、図３等に示す棚板４は、単一の板材によって構成されているが、より大きな荷重に耐えられるように、図１０に示すような桁材１７を、例えば、断面がコの字状のブラケット１８等を介して棚板４の下面側に固定し、棚板４の奥側の長手側縁を目地材３の中に差し込んだ際（図８参照）に、図１０に示す桁材１７の奥側端縁１７ａが、当該目地材３の下側の化粧パネル２に当接して、大きな荷重がかかった場合でも棚板４が水平に保持されるように構成することもできる。
【符号の説明】
【００３１】
１：ベース、
１ａ：ベース本体、
２，２ａ〜２ｄ：化粧パネル、
３：目地材、
３ａ：上顎前縁部、
３ｂ：下顎前縁部、
３ｃ：突条、
４：棚板、
４ａ：嵌合溝、
５：ビス、
６：小ビス、
７：サイド化粧材、
８：楔材、
９：サドルバンド、
１１：垂直板、
１２ａ，１２ｂ：水平板、
１３：固定材、
１４：支持ロッド、
１５：ソケット、
１６：空洞、
１７：桁材、
１７ａ：奥側端縁、
１８：ブラケット、
２０：壁面ラック
【図１】
2020014701.tif 000003
【図２】
2020014701.tif 000004
【図３】
2020014701.tif 000005
【図４】
2020014701.tif 000006
【図５】
2020014701.tif 000007
【図６】
2020014701.tif 000008
【図７】
2020014701.tif 000009
【図８】
2020014701.tif 000010
【図９】
2020014701.tif 000011
【図１０】
2020014701.tif 000012